(57)【要約】【課題】  既存のアバットメントに簡単な改良を施すだけでよく、簡単な施術で確実な緩み止め効果を得ることができる歯科用インプラントを提供する。【解決手段】  フィクスチャー（１）と、アバットメント（２）と、前記フィクスチャーに前記アバットメントを取り付けるアバットメントスクリュー（３）とを有する歯科用インプラントにおいて、前記アバットメントスクリューの頭部（３２）の少なくとも一部に形成された第一の係止部（３３）と、前記アバットメントに形成され、前記アバットメントスクリューの頭部が没入する深さを有し、かつ、少なくとも一部に第二の係止部（２２）が形成された座孔とを有し、充填材（４，５）を前記座孔内の前記第一の係止部（３３）と前記第二の係止部（２２）との間に充填することで、前記前記アバットメントスクリュー（３）の緩みを防止するように構成した。【選択図】  図１
2010220700.tif 000002
【特許請求の範囲】
【請求項１】
フィクスチャーと、アバットメントと、前記フィクスチャーに前記アバットメントを取り付けるアバットメントスクリューとを有する歯科用インプラントにおいて、
前記アバットメントスクリューの頭部の少なくとも一部に形成された第一の係止部と、
前記アバットメントに形成され、前記アバットメントスクリューの頭部が没入する深さを有し、かつ、少なくとも一部に第二の係止部が形成された座孔とを有し、
充填材を前記座孔内の前記第一の係止部と前記第二の係止部との間に充填することで、前記前記アバットメントスクリューの回転を規制すること、
を特徴とする歯科用インプラント。
【請求項２】
前記第一の係止部及び前記第二の係止部が、角孔，溝，楕円孔又は突起であることを特徴とする請求項１に記載の歯科用インプラント。
【請求項３】
前記充填材が、充填の際に流動性を有し、充填後に硬化するものであることを特徴とする請求項１又は２に記載の歯科用インプラント。
【請求項４】
前記充填材が、前記座孔に嵌入され、前記第一の係止部及び前記第二の係止部と係合する嵌合体であることを特徴とする請求項１又は２に記載の歯科用インプラント。
【請求項５】
フィクスチャーと、アバットメントと、前記フィクスチャーに前記アバットメントを取り付けるアバットメントスクリューとを有する歯科用インプラントにおける前記アバットメントスクリューの緩み止め方法において、
頭部の少なくとも一部に第一の係止部が形成されたアバットメントスクリューと、この頭部が挿入される座孔の少なくとも一部に第二の係止部が形成されたアバットメントとを準備し、
フィクスチャーにアバットメントを取り付けてアバットメントスクリューを締め付けた後、前記座孔内の前記第一の係止部と前記第二の係止部との間に充填材を充填すること、
を特徴とする歯科用インプラントのアバットメントスクリュー緩み止め方法。
【発明の詳細な説明】
【技術分野】
【０００１】
本発明は、歯科用インプラントに関し、特に、フィクスチャーにアバットメントを取り付けるアバットメントスクリューの緩み止めに好適な歯科用インプラント及びアバットメントスクリューの緩み止め方法に関する。
【背景技術】
【０００２】
歯科用インプラントを埋入、植立するには、顎骨に形成した植立孔にフィクスチャーを埋入し、顎骨とフィクスチャーの骨結合を見てからフィクスチャー部にアバットメントを設置する。その上部に補綴物を設置する。
【０００３】
図７は、歯科用インプラントの一例にかかり、図７（ａ）はその縦断面図、図７（ｂ）はその平面図である。
図７に示す歯科用インプラントは、フィクスチャー１と、アバットメント２′と、フィクスチャー１にアバットメント２′を取り付けるアバットメントスクリュー３とから構成される。
顎骨に固定されるフィクスチャー１には、アバットメント２′の下端を挿入する孔１１と、アバットメントスクリュー３の螺旋部３１を螺入する螺旋孔１２とが形成される。アバットメント２′の下端及びフィクスチャー１の孔１１は、互いに角形状（例えば六角形状）に形成されていて、アバットメント２′がフィクスチャー１に対して回転しないようになっている。
【０００４】
アバットメント２′の本体２１′には、アバットメントスクリュー３の頭部３２よりも若干大きい孔径を有する円形の孔２２′が、螺旋孔１２と同一の軸線上に形成されている。アバットメントスクリュー３は、この孔２２′に挿入され、孔２２′の底部に形成された孔２２ａ′を挿通して、螺旋部３１が螺旋孔１２に螺入される。そして、アバットメントスクリュー３の頭部３２に形成された六角孔３３に六角レンチ等の工具の先端を差し込み、前記工具とともにアバットメントスクリュー３を回転させることで、アバットメント２′がフィクスチャー１に締着・固定される。
【０００５】
ところで、補綴物を永年にわたって使用していると、アバットメントスクリュー３に緩みが生じ、アバットメント２′とフィクスチャー１との間にガタが生じる。このようなガタは、放置しておくと次第に大きくなり、日常生活に支障をきたすほか、やがてはアバットメントスクリュー３が折損し、補綴物が脱落する原因となる。そのため、アバットメント２′とフィクスチャー１との間にガタが発生した場合は、速やかに歯科医院に行ってアバットメントスクリュー３を締め直してもらう必要があるが、煩わしいことから長い間放置する人も多く、結果的に補綴物の寿命を短くするという問題がある。そこで、アバットメントスクリュー３の緩みを防止したり緩みにくくしたりする手段が、従来から種々提案されている。
【０００６】
例えば、特許文献１に記載の方法では、アバットメントとアバットメントスクリューとを楔で係合し、物理的にアバットメントスクリューがアバットメントに対して回転しないようにしている。また、特許文献２，３に記載の方法では、アバットメントスクリュー及び螺旋孔をテーパー状にしたり、アバットメントとフィクスチャーの両方にアバットメントスクリューが螺入される螺旋孔を形成したりしている。
【先行技術文献】
【特許文献】
【０００７】
【特許文献１】特開２００３−３２５５２号公報（要約の記載参照）
【特許文献２】特開２００５−２７０３３４号公報
【特許文献３】特開平９−６６０６５号公報
【発明の概要】
【発明が解決しようとする課題】
【０００８】
しかし、特許文献１のようにアバットメントとアバットメントスクリューとの間に楔を係合させるものは、アバットメントやアバットメントスクリューの大きさが極めて小さいことから、楔も微細になり、楔を取り付けるのに非常に細かで高度な技術が必要になるという問題がある。また、特許文献２や特許文献３に記載のものは、ある程度の緩みの抑制効果はあるものの、永年使用しているうちにスクリューに緩みが生じるおそれがあるという問題がある。
さらに、上記文献に記載のものは、既存のアバットメント，アバットメントスクリュー，フィクスチャーの仕様を全面的に変更しなければならず、コスト高になるという問題がある。
【０００９】
本発明は、上記の問題に鑑みてなされたもので、既存のアバットメントに簡単な改良を施すだけでよく、簡単な施術で確実な緩み止め効果を得ることができる歯科用インプラント及び歯科用インプラントにおけるアバットメントスクリューの緩み止め方法の提供を目的とする。
【課題を解決するための手段】
【００１０】
上記の目的を達成するために、請求項１に記載の歯科用インプラントは、フィクスチャーと、アバットメントと、前記フィクスチャーに前記アバットメントを取り付けるアバットメントスクリューとを有する歯科用インプラントにおいて、前記アバットメントスクリューの頭部の少なくとも一部に形成された第一の係止部と、前記アバットメントに形成され、前記アバットメントスクリューの頭部が没入する深さを有し、かつ、少なくとも一部に第二の係止部が形成された座孔とを有する構成としてある。そして、充填材を、前記座孔内の前記第一の係止部と前記第二の係止部との間に充填することで、前記アバットメントスクリューの回転を規制するようにしてある。
【００１１】
この構成によれば、第一の係止部と第二の係止部との間に充填材を充填することで、座孔内でのアバットメントスクリューの緩みを防止できる。
前記アバットメントスクリューの第一の係止部及び座孔の第二の係止部としては、両者の間に充填材を充填することでアバットメントスクリューの回転を阻止できるものであればよく、非円形状のもの、例えば、請求項２に記載するように、角孔，楕円孔，溝又は突起とすることができる。なお、アバットメントスクリューの第一の係止部としては、角レンチと係合する角孔や、ドライバーと係合するマイナス溝又はプラス溝をそのまま利用することができる。
充填材としては、請求項３に記載するように、充填の際に流動性を有し、充填後に硬化するものや、請求項４に記載するように、前記座孔に嵌入され、前記第一の係止部及び前記第二の係止部と係合する嵌合体を用いることができる。
【００１２】
本発明の方法は、請求項５に記載するように、頭部の少なくとも一部に第一の係止部が形成されたアバットメントスクリューと、この頭部が挿入される座孔の少なくとも一部に第二の係止部が形成されたアバットメントとを準備し、フィクスチャーにアバットメントを取り付けてアバットメントスクリューを締め付けた後、前記座孔の前記第一の係止部と前記第二の係止部との間に充填材を充填する方法である。
【発明の効果】
【００１３】
本発明によれば、現状のアバットメントに簡単な改良を施すだけでよく、低コストで実施することが可能である。また、施術も簡単で、確実な緩み止め効果を得ることができ、長期にわたってガタや脱落のおそれのない補綴物を患者に植設することができる。
【図面の簡単な説明】
【００１４】
【図１】本発明の歯科用インプラントの一実施形態にかかり、その一部を断面した斜視図ある。
【図２】図１の歯科用インプラントの平面図である。
【図３】充填材を充填したときの状態を示す歯科用インプラントの縦断面図である。
【図４】第一の係止部及び第二の係止部の他の実施形態を示す平面図である。
【図５】本発明の歯科用インプラントの他の実施形態にかかり、その一部を断面した斜視図ある。
【図６】本発明の歯科用インプラントのさらに他の実施形態にかかり、その一部を断面した斜視図ある。
【図７】本発明の従来例にかかり、（ａ）は歯科用インプラントの縦断面図、（ｂ）は（ａ）の平面図である。
【発明を実施するための形態】
【００１５】
以下、本発明の好適な実施形態を、図面を参照しながら詳細に説明する。
図１は、本発明の歯科用インプラントの一実施形態にかかり、その一部を断面した斜視図、図２は、図１の歯科用インプラントの平面図、図３は、座孔に充填材を充填した状態を示す図１の歯科用インプラントの縦断面図である。
この実施形態の歯科用インプラントの基本構成は、アバットメントの部分を除いて図７に示した従来の歯科用インプラントと同じであるため、同一部位、同一部材には同一の符号を付して、詳しい説明は省略する。
【００１６】
図１及び図２の例では、アバットメントスクリュー３が挿入されるアバットメント２の座孔は、上端から底部に至るまでの全体が六角形の孔（以下、六角孔２２と記載する）として形成されている。この六角孔２２は、アバットメントスクリュー３の頭部３２の全体を没入するだけの深さを有するように形成される。また、アバットメントスクリュー３の頭部３２には、六角レンチ等の工具の先端と係合する六角孔３３が形成されている。
この実施形態では、アバットメントスクリュー３の六角孔３３が第一の係止部を構成し、アバットメント２の座孔である六角孔２２が第二の係止部を構成する。
【００１７】
六角孔２２にアバットメントスクリュー３を挿入して締め付け、フィクスチャー１にアバットメント２を固定した後、六角孔２２に充填材４を充填する。この実施形態における充填材４は、充填の際には十分な流動性を有し、充填後に硬化してアバットメントスクリュー３をロックすることができる性質を有するものである。このような性質を有するものとしては、歯科用セメントやその他の樹脂材を用いることができる。
【００１８】
図３に示すように、充填材４は、アバットメントスクリュー３の六角孔３３の内部の全体に行き渡るように、アバットメント２の六角孔２２に押し込んで充填する。充填が不十分であると、充填材４の硬化後に充填材４と六角孔３３との間で滑りを許容し、アバットメントスクリュー３の回転防止効果を十分に発揮できなくなる。
図３に示す例では、座孔である六角孔２２の上端に至るまで充填材４を充填しているが、図１に示す例のように座孔の全体が六角孔２２として形成されている場合は、充填材４は必ずしも六角孔２２の全体に充填する必要は必ずしもない。アバットメントスクリュー３の回転防止効果を十分に発揮できる範囲内で、六角孔２２の途中まで充填するものとしてもよい。
【００１９】
六角孔２２に充填した充填材４が硬化すると、第一の係止部であるアバットメントスクリュー３の六角孔３３と第二の係止部であるアバットメント２の六角孔２２とが充填材４によって互いに係止された状態となり、アバットメントスクリュー３がアバットメント２に対して回転することがなく、従ってアバットメントスクリュー３の緩みが阻止される。
【００２０】
第一の係止部及び第二の係止部の他の例としては種々のものを挙げることができる。
図４は、第一の係止部であるアバットメントスクリューの孔と第二の係止部であるアバットメントの六角孔との変形例を示す平面図である。
図４（ａ）に示す例では、アバットメント２の座孔は正方形状の矩形孔２３として形成されている。
図４（ｂ）に示す例では、アバットメント２の座孔は、円形孔２４に一つ又は複数（この例では３つ）の凹部２５が形成されている。また、この例では、アバットメントスクリュー３の頭部３２には、マイナスドライバーと係合できるマイナス溝３４が形成されている。
図４（ｃ）に示す例では、アバットメント２の座孔は、楕円２６として形成されている。また、この例では、アバットメントスクリュー３の頭部３２には、マイナスドライバーと係合できるマイナス溝３４の他、頭部３２の一部を切り欠いた切欠き部３５が形成されている。この例では、マイナス溝３４と切欠き部３５とが第一の係止部を構成する。
【００２１】
図５は、本発明の歯科用インプラントの他の実施形態にかかり、その一部を断面した斜視図ある。
この実施形態では、先の実施形態で示したアバットメント２と同じアバットメント２を使用する。そして、充填材として、樹脂や金属で形成された嵌入体５を用い、この嵌入体５を六角孔２２に挿入することで、スクリュー３の緩み止めとしている。
嵌入体５は、六角孔２２に嵌め込まれる本体５１と、この本体５１の下端に突出して形成され、アバットメントスクリュー３の六角孔３３に嵌め込まれる凸部５２とを有する。
【００２２】
本体５１は、六角孔２２と同じ断面形状及び断面積を有する六角柱状に形成され、凸部５２は六角孔３３と同じ断面形状及び断面積を有する六角柱状に形成される。凸部５２の長さは、六角孔３３の孔深さとほぼ同一に形成するとよく、凸部５２が確実に六角孔３３に嵌め込まれたときに、本体５１の上端面がアバットメント２の上端面と面一になるように、本体５１の長さを選択するとよい。
なお、この実施形態では、アバットメント２の六角孔２２に対するアバットメントスクリュー３の六角孔３３の向きを、嵌入体５の本体５１に対する凸部５２の向きに一致させる必要があるが、例えば、アバットメント２の上端面又はアバットメントスクリュー３の締め付けを行うレンチに目印を付けておき、この目印に合わせるようにアバットメントスクリュー３の締め付けを行うことで、向きの調整が容易になる。
なお、この実施形態の嵌合体５は、本体５１及び凸部５２の形状を種々変更することで、例えば、図４に示したような第一の係止部及び第二の係止部の他の例にも適用が可能になる。
【００２３】
図６は、本発明の歯科用インプラントのさらに他の実施形態にかかり、その一部を断面した斜視図ある。
上記の実施形態では、座孔の上端から底部に至るまでの全体が第二の係止部を構成しているものとして説明したが、この実施形態では、アバットメント６の座孔の上端部分のみが第二の係止部（図示の例では六角孔６２）として形成されている。そして、当該部分を除く他の部分は、従来と同じ円形孔６３として形成されている。このようにすれば、六角孔６２を部分的に形成するだけでよく、さらに安価なコストで現状のアバットメントを改良することができる。
ただし、この場合は、円形孔６３から六角孔６２に至るまで、しっかりと充填材４を充填する必要がある。
【産業上の利用可能性】
【００２４】
本発明は、フィクスチャーとアバットメントとをアバットメントスクリューで締結する歯科用インプラントであれば、広範に適用が可能である。
【符号の説明】
【００２５】
１              フィクスチャー
２，２′，６    アバットメント
２２            六角孔（第二の係止部）
２３            矩形孔（第二の係止部）
２４            円形孔
２５            凹部（第二の係止部）
３              アバットメントスクリュー
３１            螺旋部
３２            頭部
３３            六角孔（第一の係止部）
３４            マイナス溝（第一の係止部）
３５            切欠き部（第一の係止部）
４              充填材
５              嵌入体（充填材）
【図１】
2010220700.tif 000003
【図２】
2010220700.tif 000004
【図３】
2010220700.tif 000005
【図４】
2010220700.tif 000006
【図５】
2010220700.tif 000007
【図６】
2010220700.tif 000008
【図７】
2010220700.tif 000009